(57)【要約】【課題】テレビ受像機の接続の有無を正確に検出する。【解決手段】テレビ受像機９０の終端抵抗Ｒ０と同一抵抗値の抵抗Ｒ１をＲＣＡビデオ端子８１５に接続する。電源回路ＶＣＣと分圧抵抗Ｒ２，Ｒ３，Ｒ４とで基準電圧Ｖ１，Ｖ２を生成する。抵抗Ｒ１のＲＣＡビデオ端子８１５側端部（反対側端部）と抵抗Ｒ２，Ｒ３（Ｒ３，Ｒ４）の接続点との間にはコンデンサＣ１（Ｃ２）と抵抗Ｒ５（Ｒ６）及びダイオードＤ１（Ｄ２）の並列回路８２１（８２２）とが直列接続され、コンデンサＣ１（Ｃ２）と並列回路８２１（８２２）との接続点は抵抗Ｒ７（Ｒ８）及びコンデンサＣ３（Ｃ４）からなるローパスフィルタ８３１（８３２）を介してコンパレータ８４０の非反転入力端子８４１（反転入力端子８４２）に接続されている。コンパレータ８４０の出力端子８４３は抵抗Ｒ７を介してプルアップされ、ＣＰＵ７０１の入力ポートに接続する。【選択図】図４
2008228223.tif 000002
【特許請求の範囲】
【請求項１】
テレビ受像機に表示するためのアナログビデオ信号を出力するテレビ接続端子に接続され、前記テレビ接続端子に接続されるテレビ受像機の接続端子の終端抵抗と同一抵抗値の抵抗素子と、
前記抵抗素子のテレビ接続端子側端部における電圧信号レベルと反対側端部における電圧信号レベルとを比較するための基準電圧を生成する回路であって、前記テレビ接続端子側端部用の第１基準電圧が前記反対側端部用の第２基準電圧より所定幅だけ高くなるように各基準電圧を生成する基準電圧生成回路と、
前記抵抗素子の前記テレビ接続端子側端部における電圧信号レベルを前記第１基準電圧でクランプする第１クランプ回路と、
前記抵抗素子の前記反対側端部における電圧信号レベルを前記第２基準電圧でクランプする第２クランプ回路と、
前記第１クランプ回路によりクランプされた電圧信号が入力される第１入力端子と前記第２クランプ回路によりクランプされた電圧信号が入力される第２入力端子とを有し、前記第１入力端子の電圧信号レベルと前記第２入力端子の電圧信号レベルとの高低に応じたレベルの電圧信号を出力する比較回路と、
前記比較回路の第１入力端子と前記第１クランプ回路との間に接続された第１ローパスフィルタと、
前記比較回路の第２入力端子と前記第２クランプ回路との間に接続された第２ローパスフィルタと、
前記比較回路から出力される電圧信号レベルに基づき前記テレビ接続端子にアナログビデオ信号入力機器が接続されているか否かを判別する判別手段と
を備えたことを特徴とするテレビ接続検出装置。
【請求項２】
テレビ受像機を接続するためのテレビ接続端子と、
画像をテレビ受像機に表示するためのアナログビデオ信号を前記テレビ接続端子に出力するビデオ信号出力手段と、
前記テレビ接続端子に接続され、前記テレビ接続端子に接続されるテレビ受像機の接続端子の終端抵抗と同一抵抗値の抵抗素子と、
前記抵抗素子のテレビ接続端子側端部における電圧信号レベルと反対側端部における電圧信号レベルとを比較するための基準電圧を生成する回路であって、前記テレビ接続端子側端部用の第１基準電圧が前記反対側端部用の第２基準電圧より所定幅だけ高くなるように各基準電圧を生成する基準電圧生成回路と、
前記アナログビデオ信号により前記抵抗素子の前記テレビ接続端子側端部に生成される電圧信号レベルを前記第１基準電圧でクランプする第１クランプ回路と、
前記アナログビデオ信号により前記抵抗素子の前記反対側端部に生成される電圧信号レベルを前記第２基準電圧でクランプする第２クランプ回路と、
前記第１クランプ回路によりクランプされた電圧信号が入力される第１入力端子と前記第２クランプ回路によりクランプされた電圧信号が入力される第２入力端子とを有し、前記第１入力端子の電圧信号レベルと前記第２入力端子の電圧信号レベルとの高低に応じたレベルの電圧信号を出力する比較回路と、
前記比較回路の第１入力端子と前記第１クランプ回路との間に接続された第１ローパスフィルタと、
前記比較回路の第２入力端子と前記第２クランプ回路との間に接続された第２ローパスフィルタと、
前記比較回路から出力される電圧信号レベルに基づき前記テレビ接続端子にアナログビデオ信号入力機器が接続されているか否かを判別する判別手段と、
画像を表示する表示手段と、
前記判別手段により前記テレビ接続端子にアナログビデオ信号入力機器が接続されていないと判別されると、前記表示手段に画像を表示する制御手段と
を備えたことを特徴とする画像表示装置。
【請求項３】
前記制御手段は、前記表示手段への画像表示中に、前記判別手段により前記テレビ接続端子にアナログビデオ信号入力機器が接続されていると判別されると、前記表示手段への画像表示を停止する請求項２記載の画像表示装置。
【発明の詳細な説明】
【技術分野】
【０００１】
この発明は、テレビ受像機接続の有無を検出するテレビ接続検出装置および該テレビ接続検出装置を備えた画像表示装置に関するものである。
【背景技術】
【０００２】
フォトプリンタやデジタルカメラなどの電子機器には、画像を表示するために液晶ディスプレイなど比較的小型の表示手段を設けたものがあるが、これらの機器においては、より大きな画面を有するテレビ受像機を接続可能にして画像を表示させたいというユーザの要求がある。この場合、ユーザの使い勝手の観点から、機器側でテレビ受像機の接続の有無を自動的に検出することが望まれる。例えば特許文献１記載の装置では、テレビ接続端子の信号レベルと基準電圧とを比較し、その比較結果に応じた検知信号を出力するようにしている。
【０００３】
【特許文献１】特開平７−３１１６３９号公報
【発明の開示】
【発明が解決しようとする課題】
【０００４】
しかしながら、上記従来の特許文献１記載の技術では、単にテレビ接続端子の信号レベルと基準電圧とを比較しているに過ぎず、テレビ受像機の有無を直接的に検出しているものではない。その結果、例えばテレビ接続端子に単にケーブルが接続された場合でも、テレビ接続端子の信号レベルが変動するため、テレビ受像機が接続されたものと誤検出してしまう虞がある。
【０００５】
この発明は、上記課題に鑑みなされたものであり、テレビ受像機の接続の有無を正確に検出することができるテレビ接続検出装置および画像表示装置を提供することを目的とする。
【課題を解決するための手段】
【０００６】
この発明にかかるテレビ接続検出装置は、上記目的を達成するため、テレビ受像機に表示するためのアナログビデオ信号を出力するテレビ接続端子に接続され、テレビ接続端子に接続されるテレビ受像機の接続端子の終端抵抗と同一抵抗値の抵抗素子と、抵抗素子のテレビ接続端子側端部における電圧信号レベルと反対側端部における電圧信号レベルとを比較するための基準電圧を生成する回路であって、テレビ接続端子側端部用の第１基準電圧が反対側端部用の第２基準電圧より所定幅だけ高くなるように各基準電圧を生成する基準電圧生成回路と、抵抗素子のテレビ接続端子側端部における電圧信号レベルを第１基準電圧でクランプする第１クランプ回路と、抵抗素子の反対側端部における電圧信号レベルを第２基準電圧でクランプする第２クランプ回路と、第１クランプ回路によりクランプされた電圧信号が入力される第１入力端子と第２クランプ回路によりクランプされた電圧信号が入力される第２入力端子とを有し、第１入力端子の電圧信号レベルと第２入力端子の電圧信号レベルとの高低に応じたレベルの電圧信号を出力する比較回路と、比較回路の第１入力端子と第１クランプ回路との間に接続された第１ローパスフィルタと、比較回路の第２入力端子と第２クランプ回路との間に接続された第２ローパスフィルタと、比較回路から出力される電圧信号レベルに基づきテレビ接続端子にアナログビデオ信号入力機器が接続されているか否かを判別する判別手段とを備えたことを特徴としている。
【０００７】
このように構成された発明では、テレビ受像機の接続端子の終端抵抗と同一抵抗値の抵抗素子が、テレビ接続端子に接続されている。このため、テレビ接続端子にテレビ受像機が接続されていない状態では、抵抗素子の両端部の電圧信号レベルは同一である一方、テレビ接続端子にテレビ受像機が接続されると、抵抗素子のテレビ接続端子側端部の電圧信号レベルが反対側端部の電圧信号レベルに対して１／２に低下する。この低下を以下のように検出している。
【０００８】
すなわち、抵抗素子のテレビ接続端子側端部の電圧信号レベルと反対側端部の電圧信号レベルとを比較するための基準電圧が基準電圧生成回路により生成される。ここで、テレビ接続端子側端部用の第１基準電圧が、反対側端部用の第２基準電圧より所定幅だけ高くなるように、各基準電圧が生成される。また、抵抗素子のテレビ接続端子側端部における電圧信号レベルが、第１クランプ回路により第１基準電圧でクランプされる一方、抵抗素子の反対側端部における電圧信号レベルが、第２クランプ回路により第２基準電圧でクランプされる。したがって、抵抗素子のテレビ接続端子側端部における電圧信号が第１基準電圧を最低レベルとする信号、つまり第１クランプ信号になる一方、抵抗素子の反対側端部における電圧信号が第２基準電圧を最低レベルとする信号、つまり第２クランプ信号になる。これによって、電圧信号のレベルを互いに比較することが可能になる。そして、第１クランプ信号が比較回路の第１入力端子に入力され、第２クランプ信号が比較回路の第２入力端子に入力される。
【０００９】
ただし、第１基準電圧の方が第２基準電圧より所定幅だけ高くなるように生成されているため、テレビ接続端子にテレビ受像機が接続されていない状態では、所定幅の分だけ常に第１クランプ信号の方が第２クランプ信号より高くなる。一方、テレビ接続端子にテレビ受像機が接続されると、抵抗素子のテレビ接続端子側端部の電圧信号レベルが反対側端部の電圧信号レベルに対して１／２に低下するため、第１クランプ信号の方が第２クランプ信号より低くなる。したがって、テレビ接続端子へのテレビ受像機接続の有無によって第１クランプ信号と第２クランプ信号の高低が切り換わるため、比較回路から出力される電圧信号レベルの高低が切り換わり、これによって、テレビ接続端子にテレビ受像機が接続されているか否かを判別することが可能になる。ここで、上記所定幅は、テレビ接続端子にテレビ受像機が接続されたときに、第１クランプ信号の方が第２クランプ信号より確実に低くなるような値に設定されていればよい。
【００１０】
なお、第１基準電圧の方が第２基準電圧より所定幅だけ高くなるように生成されているため、テレビ接続端子にテレビ受像機が接続されている状態でも、第１および第２クランプ信号が最低レベルとなる期間、すなわち第１および第２クランプ信号がそれぞれ第１および第２基準電圧となる期間は、第１クランプ信号の方が第２クランプ信号より高くなってしまう。したがって、比較回路から出力される電圧信号のレベルが頻繁に切り換わってしまうこととなる。また、テレビ接続端子に出力されるアナログビデオ信号は、例えばＮＴＳＣ方式では、輝度信号に高周波（３．５８ＭＨｚ）の色差信号が重畳されて構成されている。このため、テレビ接続端子に例えば容量の大きいケーブルが接続されると、第１クランプ信号の位相と第２クランプ信号の位相とが互いにずれてしまうことがあり得る。第１クランプ信号の位相と第２クランプ信号の位相とが互いにずれると、第１クランプ信号と第２クランプ信号との高低関係が逆転してしまうため、テレビ接続を誤検出してしまうこととなる。
【００１１】
そこで、この発明では、比較回路の第１入力端子と第１クランプ回路との間に第１ローパスフィルタを接続するとともに、比較回路の第２入力端子と第２クランプ回路との間に第２ローパスフィルタを接続している。これによって、比較回路に入力される電圧信号の高周波成分がカットされるため、テレビ接続端子にテレビ受像機が接続されている状態では、第１および第２クランプ信号がそれぞれ第１および第２基準電圧に低下するまでに第１および第２クランプ信号が最低レベルとなる期間が終了することから、第１クランプ信号の方が第２クランプ信号より高くなってしまうことがない。また、比較回路に入力される電圧信号の高周波成分がカットされるため、第１および第２クランプ信号の位相ずれによる影響がなくなり、第１クランプ信号と第２クランプ信号との高低関係が逆転してしまうことがなくなる。したがって、この発明によれば、テレビ接続端子にテレビ受像機が接続されているか否かを正確に検出することができる。
【００１２】
また、この発明にかかる画像表示装置は、上記目的を達成するため、テレビ受像機を接続するためのテレビ接続端子と、画像をテレビ受像機に表示するためのアナログビデオ信号をテレビ接続端子に出力するビデオ信号出力手段と、テレビ接続端子に接続され、テレビ接続端子に接続されるテレビ受像機の接続端子の終端抵抗と同一抵抗値の抵抗素子と、抵抗素子のテレビ接続端子側端部における電圧信号レベルと反対側端部における電圧信号レベルとを比較するための基準電圧を生成する回路であって、テレビ接続端子側端部用の第１基準電圧が反対側端部用の第２基準電圧より所定幅だけ高くなるように各基準電圧を生成する基準電圧生成回路と、アナログビデオ信号により抵抗素子のテレビ接続端子側端部に生成される電圧信号レベルを第１基準電圧でクランプする第１クランプ回路と、アナログビデオ信号により抵抗素子の反対側端部に生成される電圧信号レベルを第２基準電圧でクランプする第２クランプ回路と、第１クランプ回路によりクランプされた電圧信号が入力される第１入力端子と第２クランプ回路によりクランプされた電圧信号が入力される第２入力端子とを有し、第１入力端子の電圧信号レベルと第２入力端子の電圧信号レベルとの高低に応じたレベルの電圧信号を出力する比較回路と、比較回路の第１入力端子と第１クランプ回路との間に接続された第１ローパスフィルタと、比較回路の第２入力端子と第２クランプ回路との間に接続された第２ローパスフィルタと、比較回路から出力される電圧信号レベルに基づきテレビ接続端子にアナログビデオ信号入力機器が接続されているか否かを判別する判別手段と、画像を表示する表示手段と、判別手段によりテレビ接続端子にアナログビデオ信号入力機器が接続されていないと判別されると、表示手段に画像を表示する制御手段とを備えたことを特徴としている。
【００１３】
このように構成された発明では、テレビ接続端子に出力されるアナログビデオ信号に基づいて、テレビ接続端子にテレビ受像機が接続されているか否かを正確に検出することができる。したがって、テレビ接続端子にテレビ受像機が接続されていないときは、表示手段に画像が表示されるため、テレビ受像機および表示手段の一方に画像を確実に表示することができる。
【００１４】
また、この発明にかかる画像表示装置の制御手段は、表示手段への画像表示中に、判別手段によりテレビ接続端子にアナログビデオ信号入力機器が接続されていると判別されると、表示手段への画像表示を停止するようにしてもよい。このように構成された発明によれば、表示手段への画像表示が停止されるため、その分の消費電力を低減することができる。なお、このように表示手段への画像表示を停止しても、テレビ接続端子に出力されるアナログビデオ信号に基づきテレビ受像機に画像が表示されるため、使用中のユーザに支障を来たすことはない。
【発明を実施するための最良の形態】
【００１５】
図１は本発明の画像表示装置の一実施形態であるフォトプリンタを示す斜視図、図２はフォトプリンタの内部構成の概略を示す図、図３はフォトプリンタの電気的構成を示すブロック図である。このフォトプリンタ１０では、プリンタ本体１２の内部にはプリント機構部５０が内蔵されており、このプリント機構部５０の制御を司る記録制御部７０からの動作指令に応じて用紙Ｐへの印刷を実行する。そして、こうして印刷された用紙Ｐがプリンタ本体１２の前面に排紙される。
【００１６】
このプリンタ本体１２の前面には、図１に示すように、前面扉１４が開閉自在に取り付けられている。この前面扉１４はプリンタ本体１２の前面を開閉するための蓋である。そして、開状態のときには、プリント機構部５０から排紙される用紙Ｐを受けるための排紙トレイとして機能する。また、プリンタ本体１２の前面に設けられた各種のメモリカードスロット１６をユーザが利用可能な状態となる。つまり、この状態でユーザは印刷対象となる画像ファイルを記憶したメモリカードＭをメモリカードスロット１６に差し込むことができる。さらに、この実施形態では、記録媒体としてメモリカード以外に音楽ＣＤ（Compact Disc：コンパクトディスク）や映像ＤＶＤ（Digital Versatile Disc：デジタル多用途ディスク）などのディスクＤＣを利用可能となっている。つまり、プリンタ本体１２のベース部分に光ディスクドライブ（Optical Disc Drive）１３が設けられている。
【００１７】
また、プリンタ本体１２の上面には操作パネル２０が設けられる一方、プリンタ本体１２の上面の奥の一辺に対してカバー３０が開閉自在に取り付けられている。このカバー３０は、プリンタ本体１２の上面を覆うことのできる大きさに成形された樹脂板であり、開状態では操作パネル２０の表面を外部に露出する（図１参照）。一方、カバー３０が閉状態に閉じられると、操作パネル２０全体を覆う。
【００１８】
この操作パネル２０には、文字や図形、記号などを表示する例えばＬＣＤにより構成された表示部２２と、この表示部２２の周囲に配置されたボタン群２４とを備えている。ボタン群２４は、図２に示すように、電源のオンオフを行うための電源ボタン２４ａ、メインメニュー画面を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄ、メモリカードスロット１６に挿入されたメモリカードＭに編集画像等を保存するための保存ボタン２４ｅ、表示部２２に表示された複数の選択肢の中から所望の選択肢を選択したりカーソルを移動したりするときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、表示部２２での画面表示を切り替えるための表示切替ボタン２４ｋ、表示部２２に表示される左ガイドを選択する左ガイド選択ボタン２４ｌ、表示部２２に表示される右ガイドを選択する右ガイド選択ボタン２４ｍ、排紙トレイとしての機能を備えた前面扉１４を開く排紙トレイオープンボタン２４ｎなどで構成されている。
【００１９】
また、表示部２２の表示内容を確認するために、カバー３０には表示部２２と同じ大きさの窓３２が設けられている。つまり、カバー３０が閉状態にあるときにはユーザはこの窓３２を介して表示部２２の表示内容を確認することができる。一方、カバー３０は開状態のときには、表示部２２を図１に示すように好みの角度に調整することが可能となっている。
【００２０】
このようにカバー３０を開状態としたときには、操作パネル２０に対して斜め後方に傾斜した状態でカバー３０は保持され、用紙Ｐをプリント機構部５０へ供給するためのトレイとして利用可能となっている。また、操作パネル２０の奥には、プリント機構部５０の給紙口５８が設けられるとともに、ガイド幅が用紙の幅に合うように左右方向にスライド操作される一対の用紙ガイド５９が設けられている。
【００２１】
そして、給紙口５８を介して用紙Ｐがプリント機構部５０に送り込まれて印刷が実行される。このプリント機構部５０には、図２に示すように、キャリッジ５３が左右方向にループ状に架け渡されたタイミングベルト５１により駆動されガイド５２に沿って左右に往復動する。このキャリッジ５３には、センサ５７が設けられ、用紙Ｐの左右端や上下端を検出する。つまり、センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２２】
また、このキャリッジ５３には、シアン・マゼンタ・イエロー・ブラック等の各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒータなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００２３】
記録制御部７０のシステムバス７００には、図３に示すように、ＣＰＵ７０１、ＲＯＭ７０２、ＲＡＭ７０３、不揮発性メモリ７０４、ＶＲＡＭ７０５、カードインタフェース７０６、画像処理部７０７、ＡＳＩＣ７０８などが接続されている。なお、図３では、説明の便宜上、ＣＰＵ７０１を２箇所に示している。ＣＰＵ７０１は、プリント機構部５０の動作制御を実行するための演算処理などを行う。また、ＣＰＵ７０１は、後述するテレビ接続検出回路８１６からの信号に基づき、ＲＣＡビデオ端子８１５にテレビ受像機９０が接続されているか否かを判別し、その判別結果をＵＳＢユニット８０のＣＰＵ８０６に伝達するとともに、その判別結果に基づき表示部２２の表示を行うか否かを制御する。この機能については後に詳述する。
【００２４】
ＲＯＭ７０２は、ＣＰＵ７０１の制御に必要なプログラム（ファームウェア）などを記憶する。ＲＡＭ７０３には一時的にデータが記憶され、不揮発性メモリ７０４にはＣＰＵ７０１の制御に必要な各種データやテーブルなどが格納され、ＶＲＡＭ７０５には表示部２２に描画すべき画像データが格納される。カードインタフェース７０６は、メモリカードスロット１６との通信を行い、メモリカードスロット１６に挿入されたメモリカードＭなどの外部記憶媒体の画像データを読み取る。また、カードインタフェース７０６は、編集画像などを保存するためにメモリカードＭに画像データを書き込む。
【００２５】
画像処理部７０７は、カードインタフェース７０６により読み取られたメモリカードＭなどの外部記憶媒体から与えられる画像データに対し必要な画像処理を行う。また、画像処理部７０７は、表示部２２に表示させるためのメニュー画面などのプリンタ固有の画像に対応する表示データを生成する機能を有する。この表示データと画像処理された画像データとが合成されたデータは、画像処理部７０７からＬＣＤコントローラ７０９に与えられ、このＬＣＤコントローラ７０９によって表示部２２の表示が制御される。
【００２６】
ＡＳＩＣ７０８は、プリント機構部５０に設けられている用紙Ｐを搬送するモータ（図示省略）やタイミングベルト５１を回転させるモータ（図示省略）などの速度制御を行う制御回路、印刷ヘッド５５の駆動制御を行う制御回路などを内蔵している。そして、ＡＳＩＣ７０８は、ＣＰＵ７０１からの制御信号などに基づいて生成したモータ制御信号や印刷ヘッド５５の制御信号を駆動回路７１０に送出する。また、センサ５７などの検出データは、ＡＳＩＣ７０８を介してＣＰＵ７０１に取り込まれる。また、ＡＳＩＣ７０８は、ＵＳＢ(Universal Serial Bus)インタフェース７１１を備えており、ＵＳＢユニット８０とＵＳＢ規格に基づきデータ通信を行うことが可能になっている。
【００２７】
ＵＳＢユニット８０は、図３に示すように、２個のＵＳＢインタフェース８０１，８０２、ＵＳＢ制御回路８０３、ＩＤＥ(Integrated Drive Electronics)インタフェース８０４、ＩｒＤＡコントローラ８０５、ＣＰＵ８０６、ＲＯＭ８０７、ＳＤＲＡＭコントローラ８０８、画像処理部８０９、ビデオエンコーダ８１０、ＤＡコンバータ８１１、ビデオインタフェース８１２を備えている。これらのうち、ＵＳＢ制御回路８０３、ＩｒＤＡコントローラ８０５、ＣＰＵ８０６、ＲＯＭ８０７、ＳＤＲＡＭコントローラ８０８、画像処理部８０９は、システムバス８００に接続され、互いにデータの送受信が可能になっている。また、これらの機能ブロック８０１〜８１２は、この実施形態では、各種の機能が１個のチップ上に搭載されたＳＯＣ(System On Chip)として構成されている。
【００２８】
また、ＵＳＢユニット８０は、ＳＤＲＡＭ８１３、ＩｒＤＡ受光部８１４および上記ＯＤＤ１３を備えるとともに、テレビ受像機９０を接続するためのＲＣＡビデオ端子８１５と、テレビ接続検出回路８１６とを備えている。
【００２９】
ＵＳＢインタフェース８０１は、上記ＵＳＢインタフェース７１１とデータの送受信を行う。ＵＳＢインタフェース８０２は、デジタルスチルカメラやパーソナルコンピュータなどの外部装置とデータの送受信を行う。ＵＳＢ制御回路８０３は、ＵＳＢ物理層を形成するマクロを備えており、ＵＳＢインタフェース８０１，８０２およびＵＳＢ制御回路８０３によって、ＵＳＢの物理的な接続や伝送が確立される。ＩＤＥインタフェース８０４にはＯＤＤ１３が接続されており、ＩＤＥインタフェース８０４は、ＡＴＡ／ＡＴＡＰＩインタフェース回路として機能している。また、ＵＳＢ制御回路８０３は、ＵＳＢ−ＡＴＡ／ＡＴＡＰＩ変換回路として機能するＵＳＢ−ＩＤＥ変換部を備えており、このＵＳＢ−ＩＤＥ変換部は、ＵＳＢインタフェース８０１，８０２の入出力信号とＩＤＥインタフェース８０４の入出力信号とを相互に変換する。
【００３０】
ＩｒＤＡコントローラ８０５は、ＩｒＤＡ受光部８１４を介して、赤外線通信により携帯電話９１からデジタル画像ファイルを入力する機能や赤外線リモコン（図示省略）によるリモコン操作機能などを有する。ＣＰＵ８０６は、ＲＯＭ８０７に格納されているプログラム（ファームウェア）を実行することによって、ＵＳＢユニット８０の各部の動作を制御する。また、ＣＰＵ８０６は、ＩｒＤＡコントローラ８０５の入出力信号をＵＳＢインタフェース８０１，８０２の入出力信号に変換する機能も有する。
【００３１】
ＳＤＲＡＭコントローラ８０８にはＳＤＲＡＭ８１３が接続されており、ＳＤＲＡＭコントローラ８０８は、ＣＰＵ８０６がＳＤＲＡＭ８１３をワークメモリとして利用できるようにする機能を有する。また、ＳＤＲＡＭコントローラ８０８は、ＲＣＡビデオ端子８１５に接続されたテレビ受像機９０にアナログビデオ信号を出力する際に、ＳＤＲＡＭ８１３をフレームメモリとして利用できるようにする機能を有する。
【００３２】
画像処理部８０９は、例えばＵＳＢインタフェース８０１を介して記録制御部７０から送られてきた画像データや、ＵＳＢインタフェース８０２を介して外部のデジタルスチルカメラから送られてきた画像データなどに対して、テレビ受像機９０に表示するための画像処理を行う。また、画像処理部８０９は、テレビ受像機９０に表示させるためのメニュー画面などのプリンタ固有の画像に対応する表示データを生成する機能を有する。この表示データと画像処理された画像データとが合成されたデータは、画像処理部８０９からビデオエンコーダ８１０に出力される。
【００３３】
ビデオエンコーダ８１０は、画像処理部８０９からのデータをこの実施形態では例えばＮＴＳＣ方式の画像データに変換する。なお、ＮＴＳＣ方式に限られず、他のＰＡＬ方式やＳＥＣＡＭ方式などに変換するようにしてもよい。また、複数方式に変換可能なビデオエンコーダを備えておき、いずれかの方式を選択できるようにしてもよい。
【００３４】
そして、ＤＡコンバータ８１１でデジタル信号からアナログ信号に変換された画像データは、ビデオインタフェース８１２およびテレビ接続検出回路８１６の後述する抵抗Ｒ１（図４）を介してＲＣＡビデオ端子８１５に出力され、これによって、テレビ受像機９０の画面に画像が表示されることとなる。
【００３５】
図４はテレビ接続検出回路の回路図、図５は図４の各部の電圧信号を示す図である。図４に示すように、ＲＣＡビデオ端子８１５とテレビ受像機９０の接続端子９０１とが接続ケーブル９２により接続されている。なお、テレビ受像機９０では、一般に、接続端子９０１が所定の抵抗値（例えば７５Ω）の抵抗Ｒ０で終端されている。
【００３６】
一方、テレビ接続検出回路８１６では、ビデオインタフェース８１２とＲＣＡビデオ端子８１５との間に抵抗Ｒ１が接続されている。この抵抗Ｒ１は、その抵抗値がテレビ受像機９０の終端抵抗Ｒ０と同一であり、本発明の「抵抗素子」に相当する。そして、テレビ接続検出回路８１６では、抵抗Ｒ１のＲＣＡビデオ端子８１５側端部の電圧信号Ｖ１１と反対側端部の電圧信号Ｖ２１とに基づき、ＲＣＡビデオ端子８１５にテレビ受像機９０が接続されているか否かが検出される。図５（ａ）に示すように、ＲＣＡビデオ端子８１５に何も接続されていないときは、電圧信号Ｖ１１，Ｖ２１は互いに同一波形になっている。そして、ＲＣＡビデオ端子８１５にテレビ受像機９０が接続されると、抵抗Ｒ１とテレビ受像機９０の終端抵抗Ｒ０とが同一抵抗値のため、電圧信号Ｖ１１の振幅Ｐ１が電圧信号Ｖ２１の振幅Ｐ２の１／２になる。
【００３７】
電源回路ＶＣＣと、直列接続された分圧抵抗Ｒ２，Ｒ３，Ｒ４とで、基準電圧（本発明の「第１基準電圧」に相当）Ｖ１および基準電圧（本発明の「第２基準電圧」に相当）Ｖ２が生成されている。なお、抵抗Ｒ３は、基準電圧Ｖ１と基準電圧Ｖ２との間にレベル差を設けるためのもので、抵抗Ｒ２，Ｒ４に比べて抵抗値の小さいものが用いられる。すなわち、例えば電源回路ＶＣＣの電圧が３．３Ｖ、抵抗Ｒ２，Ｒ４の抵抗値が１６０Ω、抵抗Ｒ３の抵抗値が１０Ωのとき、基準電圧Ｖ１と基準電圧Ｖ２との電圧差は０．１Ｖになる。このように、この実施形態では、電源回路ＶＣＣと、直列接続された分圧抵抗Ｒ２，Ｒ３，Ｒ４とが本発明の「基準電圧生成回路」を構成する。
【００３８】
抵抗Ｒ１のＲＣＡビデオ端子８１５側端部（電圧信号Ｖ１１の生成点）と抵抗Ｒ２，Ｒ３の接続点（基準電圧Ｖ１の生成点）との間には、コンデンサＣ１と、抵抗Ｒ５およびダイオードＤ１の並列回路（本発明の「第１クランプ回路」に相当）８２１とが直列に接続されている。また、コンデンサＣ１と並列回路８２１との接続点は、抵抗Ｒ７およびコンデンサＣ３からなるローパスフィルタ（本発明の「第１ローパスフィルタ」に相当）８３１を介して、コンパレータ８４０の非反転入力端子（本発明の「第１入力端子」に相当）８４１に接続されている。
【００３９】
また、同様に、抵抗Ｒ１の反対側端部（電圧信号Ｖ２１の生成点）と抵抗Ｒ３，Ｒ４の接続点（基準電圧Ｖ２の生成点）との間には、コンデンサＣ２と、抵抗Ｒ６およびダイオードＤ２の並列回路（本発明の「第２クランプ回路」に相当）８２２とが直列に接続されている。また、コンデンサＣ２と並列回路８２２との接続点は、抵抗Ｒ８およびコンデンサＣ４からなるローパスフィルタ（本発明の「第２ローパスフィルタ」に相当）８３２を介して、コンパレータ８４０の反転入力端子（本発明の「第２入力端子」に相当）８４２に接続されている。また、コンパレータ（本発明の「比較回路」に相当）８４０の出力端子８４３は、抵抗Ｒ７を介してプルアップされるとともに、ＣＰＵ７０１の入力ポートに接続されている。
【００４０】
図５（ｂ）に示すように、並列回路８２１によって、コンデンサＣ１と並列回路８２１との接続点の電圧信号（本発明の「第１クランプ信号」に相当）Ｖ１２は、基準電圧Ｖ１でクランプされた信号になり、並列回路８２２によって、コンデンサＣ２と並列回路８２２との接続点の電圧信号（本発明の「第２クランプ信号」に相当）Ｖ２２は、基準電圧Ｖ２でクランプされた信号になる。このように、電圧信号Ｖ１２，Ｖ２２は、それぞれ基準電圧Ｖ１，Ｖ２でクランプされているため、その信号レベルを互いに比較することが可能になる。ここで、電圧信号Ｖ１２は、電圧信号Ｖ２２に比べて、基準電圧の差（Ｖ１−Ｖ２）の分だけレベルが高くなっている。
【００４１】
そして、ＲＣＡビデオ端子８１５に何も接続されていないときは、電圧信号Ｖ１１，Ｖ２１は互いに同一波形になっているが、コンパレータ８４０に入力される電圧信号Ｖ１２は、基準電圧Ｖ１と基準電圧Ｖ２とのレベル差の分だけ電圧信号Ｖ２２より高くなっている。したがって、コンパレータ８４０の出力端子８４３からハイレベルの電圧信号が出力され、ＣＰＵ７０１によって、テレビ受像機９０が接続されていないと判別される。この判別結果がＣＰＵ７０１からＵＳＢインタフェース７１１，８０１を介してＣＰＵ８０６に伝えられる。また、ＣＰＵ７０１は、必要な画像を表示部２２に表示する。
【００４２】
一方、ＲＣＡビデオ端子８１５にテレビ受像機９０が接続されると、電圧信号Ｖ１１の振幅Ｐ１が電圧信号Ｖ２１の振幅Ｐ２の１／２になるため、コンパレータ８４０に入力される電圧信号Ｖ１２は、電圧信号Ｖ２２より低くなる。したがって、コンパレータ８４０の出力端子８４３からローレベルの電圧信号が出力され、ＣＰＵ７０１によって、テレビ受像機９０が接続されていると判別される。この判別結果がＣＰＵ７０１からＵＳＢインタフェース７１１，８０１を介してＣＰＵ８０６に伝えられる。また、ＣＰＵ７０１は、表示部２２への画像表示を停止する。
【００４３】
さらに、テレビ受像機９０への画像表示中に、ＲＣＡビデオ端子８１５からテレビ受像機９０が外されると、コンパレータ８４０の出力端子８４３からハイレベルの電圧信号が出力され、ＣＰＵ７０１によってテレビ受像機９０が接続されていないと判別される。この判別結果がＣＰＵ７０１からＵＳＢインタフェース７１１，８０１を介してＣＰＵ８０６に伝えられる。また、ＣＰＵ７０１は、表示部２２への画像表示を再開する。このように、この実施形態では、ＣＰＵ７０１が、本発明の「判別手段」および「制御手段」に相当する。また、この実施形態では、ＣＰＵ７０１およびテレビ接続検出回路８１６によって、本発明のテレビ接続検出装置が構成されている。
【００４４】
ここで、コンパレータ８４０の入力端子８４１，８４２に、それぞれローパスフィルタ８３１，８３２を接続している理由について説明する。
【００４５】
図５（ｂ）から分かるように、基準電圧Ｖ１の方が基準電圧Ｖ２より所定幅だけ高くなるように生成されているため、ＲＣＡビデオ端子８１５にテレビ受像機９０が接続されている状態でも、電圧信号Ｖ１２，Ｖ２２が最低レベルとなる期間、すなわち電圧信号Ｖ１２，Ｖ２２がそれぞれ基準電圧Ｖ１，Ｖ２となる期間は、電圧信号Ｖ１２の方が電圧信号Ｖ２２より高くなってしまう。したがって、このままではコンパレータ８４０の出力端子８４３に出力される電圧信号のレベルが頻繁に切り換わってしまうこととなる。
【００４６】
また、ＲＣＡビデオ端子８１５に出力されるアナログビデオ信号は、例えばＮＴＳＣ方式では、輝度信号に高周波（３．５８ＭＨｚ）の色差信号が重畳されて構成されている。このため、例えば接続ケーブル９２とテレビ受像機９０の接続端子９０１とが外されたときに、この接続ケーブル９２が容量の大きいケーブルである場合には、電圧信号Ｖ１２の位相と電圧信号Ｖ２２の位相とが互いにずれてしまうことがあり得る。電圧信号Ｖ１２の位相と電圧信号Ｖ２２の位相とが互いにずれて、電圧信号Ｖ１２と電圧信号Ｖ２２との高低関係が逆転してしまうと、テレビ接続を誤検出してしまうこととなる。
【００４７】
そこで、この実施形態では、コンパレータ８４０の入力端子８４１，８４２に、それぞれローパスフィルタ８３１，８３２を接続している。これによって、コンパレータ８４０に入力される電圧信号Ｖ１２，Ｖ２２の高周波成分がカットされるため、ＲＣＡビデオ端子８１５にテレビ受像機９０が接続されている状態では、電圧信号Ｖ１２，Ｖ２２における基準電圧Ｖ１，Ｖ２の部分のレベル差が解消される。また、コンパレータ８４０に入力される電圧信号の高周波成分がカットされるため、電圧信号Ｖ１２，Ｖ２２の位相ずれによる影響がなくなり、電圧信号Ｖ１２，Ｖ２２の高低関係が逆転してしまうことがなくなる。したがって、この実施形態によれば、ＲＣＡビデオ端子８１５にテレビ受像機９０が接続されているか否かを正確に検出することができる。
【００４８】
以上説明したように、この実施形態によれば、テレビ受像機９０の終端抵抗Ｒ０と同一抵抗値の抵抗Ｒ１をＲＣＡビデオ端子８１５に接続し、この抵抗Ｒ１のＲＣＡビデオ端子８１５側端部の電圧信号Ｖ１１と反対側端部の電圧信号Ｖ２１とに基づき、ＲＣＡビデオ端子８１５にテレビ受像機９０が接続されているか否かを検出している。すなわち、電源回路ＶＣＣと、直列接続された分圧抵抗Ｒ２，Ｒ３，Ｒ４とで、基準電圧Ｖ１，Ｖ２を生成している。また、抵抗Ｒ１のＲＣＡビデオ端子８１５側端部と抵抗Ｒ２，Ｒ３の接続点との間には、コンデンサＣ１と抵抗Ｒ５およびダイオードＤ１の並列回路８２１とを直列に接続している。また、コンデンサＣ１と並列回路８２１との接続点は、抵抗Ｒ７およびコンデンサＣ３からなるローパスフィルタ８３１を介して、コンパレータ８４０の非反転入力端子８４１に接続している。また、抵抗Ｒ１の反対側端部と抵抗Ｒ３，Ｒ４の接続点との間には、コンデンサＣ２と、抵抗Ｒ６およびダイオードＤ２の並列回路８２２とを直列に接続している。また、コンデンサＣ２と並列回路８２２との接続点は、抵抗Ｒ８およびコンデンサＣ４からなるローパスフィルタ８３２を介して、コンパレータ８４０の反転入力端子８４２に接続している。また、コンパレータ８４０の出力端子８４３は、抵抗Ｒ７を介してプルアップするとともに、ＣＰＵ７０１の入力ポートに接続している。これによって、テレビ受像機９０の接続の有無を正確に検出することができる。
【００４９】
なお、本発明は上記した実施形態に限定されるものではなく、その趣旨を逸脱しない限りにおいて上述したもの以外に種々の変更を行うことが可能である。例えば、上記実施形態では、抵抗Ｒ７およびコンデンサＣ３でローパスフィルタ８３１を構成し、抵抗Ｒ８およびコンデンサＣ４でローパスフィルタ８３２を構成しているが、ローパスフィルタ８３１，８３２の構成は、これに限られない。例えば、コイルなどの他の回路素子を用いてローパスフィルタ８３１，８３２を構成してもよい。また、例えばコンパレータ８４０の入力端子８４１，８４２の寄生容量が十分な値を持っている場合には、コンデンサＣ３，Ｃ４を接続せずに、抵抗Ｒ７，Ｒ８のみでローパスフィルタ８３１，８３２をそれぞれ構成するようにしてもよい。
【００５０】
また、上記実施形態では、テレビ受像機９０をＲＣＡビデオ端子８１５に直接接続しているが、これに限られない。例えば、ビデオデッキやＤＶＤデッキなどを介してテレビ受像機９０を接続するようにしてもよい。
【００５１】
また、本発明は、上記実施形態のようなフォトプリンタのみならず、デジタルスチルカメラやＰＤＡ（Personal Digital Assistant）機器など、自身に表示手段を備えるとともに外部のテレビ受像機に対してもアナログビデオ信号を出力可能に構成された電子機器に適用することができる。さらに、表示すべき画像は静止画に限定されないので、ムービーカメラなど動画を出力する機器に対しても適用可能である。
【図面の簡単な説明】
【００５２】
【図１】本発明の画像表示装置の一実施形態であるフォトプリンタを示す斜視図。
【図２】フォトプリンタの内部構成の概略を示す図。
【図３】フォトプリンタの電気的構成を示すブロック図。
【図４】テレビ接続検出回路の回路図。
【図５】図４の各部の電圧信号を示す図。
【符号の説明】
【００５３】
２２…表示部（表示手段）、７０１…ＣＰＵ（制御手段、判別手段、テレビ接続検出手段）、８０６…ＣＰＵ、８１０…ビデオエンコーダ（ビデオ信号出力手段）、８１５…ＲＣＡビデオ端子（テレビ接続端子）、８１６…テレビ接続検出回路（テレビ接続検出手段）、８２１…抵抗およびダイオードからなる並列回路（第１クランプ回路）、８２２…抵抗およびダイオードからなる並列回路（第２クランプ回路）、８３１…ローパスフィルタ（第１ローパスフィルタ）、８３２…ローパスフィルタ（第２ローパスフィルタ）、８４０…コンパレータ（比較回路）、８４１…コンパレータの非反転入力端子（第１入力端子）、８４２…コンパレータの反転入力端子（第２入力端子）、９０…テレビ受像機、Ｄ１…ダイオード（第１クランプ回路）、Ｄ２…ダイオード（第２クランプ回路）、Ｒ１…抵抗（抵抗素子）、Ｒ２，Ｒ３，Ｒ４…分圧抵抗（基準電圧生成回路）、Ｒ５…抵抗（第１クランプ回路）、Ｒ６…抵抗（第２クランプ回路）、Ｖ１…基準電圧（第１基準電圧）、Ｖ２…基準電圧（第２基準電圧）、Ｖ１２…電圧信号（第１クランプ信号）、Ｖ２２…電圧信号（第２クランプ信号）、ＶＣＣ…電源回路（基準電圧生成回路）
【図１】
2008228223.tif 000003
【図２】
2008228223.tif 000004
【図３】
2008228223.tif 000005
【図４】
2008228223.tif 000006
【図５】
2008228223.tif 000007